(57)【特許請求の範囲】
【請求項１】
上壁を有した筐体と、
上記上壁に取り付けられたキーボードと、
上記筐体に取り付けられたバッテリパックと、
上記バッテリパックよりも薄いとともに、上記筐体内に収容されたＯＤＤユニットと、
上記筐体内に収容されるとともに、ユーザーがカードを挿抜するカードスロットと、
上記筐体内に収容された拡張モジュールと、を具備し、
上記筐体は、この筐体のなかでユーザーに対して最前部となるフロント部と、ユーザーに対して最後部となるバック部とを有し、
上記バッテリパックは、上記筐体のバック部に配置され、
上記ＯＤＤユニットは、上記フロント部に対向する前端部と、上記バッテリパックに対向する後端部とを有し、上記筐体内において上記フロント部寄りに偏って配置されるとともに、当該ＯＤＤユニットと上記バッテリパックとの厚みの違いによって上記後端部の下方に空間を形成するように後ろ上がりに傾斜して実装され、
上記カードスロットは、上記ＯＤＤユニットの前端部を外れるとともに、上記ＯＤＤユニットの後端部に下方から重ねて、上記ＯＤＤユニットと平行になるように傾斜して配置され、
上記拡張モジュールは、上記ＯＤＤユニットの前端部を外れるとともに、上記ＯＤＤユニットの後端部に下方から重ねて配置され、且つ、上記上壁を形成する２方向の内、上記フロント部から上記バック部に向かう第１の方向に対して直交する第２の方向に沿って上記カードスロットと並ぶとともに、上記カードスロットよりも上記拡張モジュールは、上記筐体の内側に設けられ、
上記筐体は、上記ＯＤＤユニットの後端部及び上記カードスロットを合わせた厚みと、
上記ＯＤＤユニットの前端部の厚みとの違いによって上記バック部から上記フロント部に向かうに従い当該筐体の厚さが薄くなるように形成され、且つ、上記キーボードを上記ＯＤＤユニットと平行に後ろ上がりに傾斜させて支持したことを特徴とする電子機器。
【請求項２】
請求項１に記載の電子機器において、
上記ＯＤＤユニットは、該電子機器を設置面に置いたとき、上記前端部が上記カードスロットと同じ高さに位置することを特徴とする電子機器。
【請求項３】
請求項２に記載の電子機器において、
上記第２の方向の上記カードスロットの幅と、上記第２の方向の上記拡張モジュールの幅との合計は、同方向の上記ＯＤＤユニットの幅よりも小さいことを特徴とする電子機器。
【請求項４】
請求項３に記載の電子機器において、
上記拡張モジュールが搭載される回路基板を備え、
上記筐体は、上記ＯＤＤユニットを外れた領域に立設されたボスを有し、
上記回路基板は、上記ＯＤＤユニットに固定されることなく、上記ボスに固定されることを特徴とする電子機器。
【請求項５】
請求項４に記載の電子機器において、
上記筐体は、設置面に対向する筐体ベースと、上記キーボードが取り付けられるとともに、上記筐体ベースに組み合わされて上記筐体ベースとの間に上記ＯＤＤユニットが収容される空間を形成する筐体カバーとを有し、
上記ＯＤＤユニットは、上記筐体カバーに固定され、
上記ボスは、上記筐体カバーに設けられ、
上記回路基板は、上記筐体カバーに固定されることを特徴とする電子機器。
【請求項６】
請求項５に記載の電子機器において、
上記ＯＤＤユニットに取り付けられるブラケットを備え、
上記回路基板は、上記ボスに対向する第１の端部と、上記ＯＤＤユニットに対向する第２の端部とを有し、
上記ブラケットは、上記ＯＤＤユニットとは反対側から上記回路基板の第２の端部に対向する引掛部を有することを特徴とする電子機器。
【請求項７】
請求項６に記載の電子機器において、
上記ＯＤＤユニットと上記バッテリパックとの間に設けられたカードソケットを備えることを特徴とする電子機器。
【請求項８】
請求項７に記載の電子機器において、
上記バッテリパックは上記筐体に対して着脱自在であり、
上記カードソケットは、上記バッテリパックを上記筐体から取り外したとき、上記筐体の外部に露出されることを特徴とする電子機器。
【請求項９】
請求項８に記載の電子機器において、
上記ＯＤＤユニットは、ケースと、このケース内に引き出し可能に収容されたディスクトレイとを有するとともに、上記ケースには開口部が設けられており、
上記カードスロットおよび上記拡張モジュールは、上記ケースの開口部を外れた領域に配置されることを特徴とする電子機器。
【発明の詳細な説明】
【技術分野】
【０００１】
本発明は、追加デバイスを搭載可能な電子機器に関する。
【背景技術】
【０００２】
例えばポータブルコンピュータのような電子機器は、ＯＤＤ(Optical Disk Drive)ユニットや電源となるバッテリパックなどを搭載している。特許文献１には、ＣＤ−ＲＯＭ(Compact Disk Read-Only Memory)ドライブと、バッテリパックとを備えた電子機器が開示されている。この電子機器では、バッテリパックの隣にＣＤ−ＲＯＭドライブが実装されている。ここでＣＤ−ＲＯＭドライブは、筐体内部に吊下され、回路基板と鉛直方向に重ねて配置されている。
【特許文献１】特開平９−３０５２６１号公報
【発明の開示】
【発明が解決しようとする課題】
【０００３】
電子機器は、長時間駆動に対する要望が大きく、比較的大きなバッテリパックの搭載が望まれる。さらに電子機器は、ＯＤＤユニットやバッテリパックに加えて、例えばＰＣカードスロットやＭｉｎｉ−ＰＣＩ(Mini-Peripheral Component Interconnect)モジュールのような追加デバイスを実装可能であることが望まれる。一方、電子機器は薄型化に対する要望が大きい。
【０００４】
ここで特許文献１に記載のＣＤ−ＲＯＭドライブと回路基板との間係のように、ＯＤＤユニットと追加デバイスとを単に鉛直方向に重ねて実装すると、電子機器が厚くなる傾向にある。
【０００５】
本発明の目的は、追加デバイスを実装可能であるとともに、薄型化および長時間駆動の実現を図ることができる電子機器を得ることにある。
【課題を解決するための手段】
【０００６】
本発明の一つの形態に係る電子機器は、上壁を有した筐体と、上記上壁に取り付けられたキーボードと、上記筐体に取り付けられたバッテリパックと、上記バッテリパックよりも薄いとともに、上記筐体内に収容されたＯＤＤユニットと、上記筐体内に収容されるとともに、ユーザーがカードを挿抜するカードスロットと、上記筐体内に収容された拡張モジュールとを具備する。上記筐体は、この筐体のなかでユーザーに対して最前部となるフロント部と、ユーザーに対して最後部となるバック部とを有する。上記バッテリパックは、上記筐体のバック部に配置されている。上記ＯＤＤユニットは、上記フロント部に対向する前端部と、上記バッテリパックに対向する後端部とを有し、上記筐体内において上記フロント部寄りに偏って配置されるとともに、当該ＯＤＤユニットと上記バッテリパックとの厚みの違いによって上記後端部の下方に空間を形成するように後ろ上がりに傾斜して実装されている。上記カードスロットは、上記ＯＤＤユニットの前端部を外れるとともに、上記ＯＤＤユニットの後端部に下方から重ねて、上記ＯＤＤユニットと平行になるように傾斜して配置されている。上記拡張モジュールは、上記ＯＤＤユニットの前端部を外れるとともに、上記ＯＤＤユニットの後端部に下方から重ねて配置され、且つ、上記フロント部から上記バック部に向かう方向に対して直交する方向に沿って上記カードスロットと並ぶとともに、上記カードスロットよりも上記拡張モジュールは、上記筐体の内側に設けられている。上記筐体は、上記ＯＤＤユニットの後端部及び上記カードスロットを合わせた厚みと、上記ＯＤＤユニットの前端部の厚みとの違いによって上記バック部から上記フロント部に向かうに従い当該筐体の厚さが薄くなるように形成され、且つ、上記キーボードを上記ＯＤＤユニットと平行に後ろ上がりに傾斜させて支持している。
【発明の効果】
【０００７】
本発明によれば、追加デバイスを実装可能であるとともに、薄型化および長時間駆動の実現を図ることができる。
【発明を実施するための最良の形態】
【０００８】
以下に、本発明の実施の形態をポータブルコンピュータに適用した図面に基づいて説明する。図１ないし図１０は、本発明の一つの実施形態に係る電子機器としてのポータブルコンピュータ１を開示している。図１に示すように、ポータブルコンピュータ１は、本体２と表示ユニット３とを備えている。
【０００９】
本体２は、筐体４を有する。本体２は、さらにキーボード５と、ポインティングデバイスであるタッチパッド６とを備える。筐体４は、上壁４ａ、周壁４ｂ、および下壁４ｃを備え、箱状に形成されている。上壁４ａは、上方に臨むとともに、キーボード５が取り付けられるキーボード載置部７が設けられている。下壁４ｃは、このポータブルコンピュータ１が置かれる設置面Ｆに対向する（図４参照）。設置面Ｆの一例は、机上である。周壁４ｂは、前壁４ａｂ、後壁４ｂｂ、および左右の側壁４ｂｃ，４ｂｄを含む。
【００１０】
図４に示すように、筐体４は、周壁４ｂの一部および上壁４ａを含む筐体カバー８と、周壁４ｂの一部および下壁４ｃを含む筐体ベース９とにより形成されている。筐体カバー８は、筐体ベース９に対して着脱自在に組み合わされ、筐体ベース９との間に収容空間を形成する。この収容空間には、後述するＯＤＤユニット２４やカードスロット２５などが収容される。
【００１１】
図１に示すように、表示ユニット３は、ディスプレイハウジング１１と、このディスプレイハウジング１１に収容された表示装置１２とを備えている。表示装置１２は、表示画面１２ａを有する。表示画面１２ａは、ディスプレイハウジング１１の前面の開口部１１ａを通じてディスプレイハウジング１１の外部に露出している。
【００１２】
表示ユニット３は、筐体４の後端部に一対のヒンジ部１３ａ，１３ｂを介して支持されている。そのため、表示ユニット３は、上壁４ａを上方から覆うように倒される閉じ位置と、上壁４ａを露出させるように起立する開き位置との間で回動可能である。
【００１３】
図２は、本体２の平面図である。なおこの図２では、筐体４内のレイアウトを示すために筐体カバー８を省略している。図２に示すように、筐体４には、電源となるバッテリパック２１が着脱自在に取り付けられている。さらに筐体４内には、メイン回路基板２２、ＨＤＤユニット２３、ＯＤＤユニット２４、カードスロット２５、Ｍｉｎｉ−ＰＣＩモジュール２６、回路基板２７、およびカードソケット２８が収容されている。
【００１４】
図３は、本体２を下方から見た下面図である。なおこの図３では、筐体４内のレイアウトを示すために筐体ベース９を省略している。以下この図３から図６を参照して筐体４内のレイアウトについて詳述する。なお図４は、ポータブルコンピュータ１を図６と同じ断面で切断したものであるが、説明の便宜上、カードスロット２５、Ｍｉｎｉ−ＰＣＩモジュール２６、回路基板２７、およびカードソケット２８を除いて示したものである。
【００１５】
図３および図４に示すように、筐体４は、フロント部３１、中央部３２、およびバック部３３を有する。フロント部３１は、ユーザーに対して中央部３２よりも前方に設けられ、筐体４のなかでユーザーに対して最前部となる部位である。一方、バック部３３は、ユーザーに対して中央部３２よりも後方に設けられ、筐体４のなかでユーザーに対して最後部となる部位である。
【００１６】
フロント部３１およびバック部３３の定義は種々可能であるが、ここでは、例えばキーボード５が取り付けられる部位を中央部３２、キーボード５よりも前方に位置するとともに、パームレスト３５およびタッチパッド６が設けられた領域をフロント部３１、キーボード５よりも後方に位置する部位をバック部３３とする。なお本実施形態では、ポータブルコンピュータ１を基点として、ユーザーに対して近付く方向を前方、ユーザーに対して遠ざかる方向を後方と定義する。
【００１７】
図３および図４に示すように、バッテリパック２１は筐体４のバック部３３に配置されている。バッテリパック２１は、比較的長時間に亘りポータブルコンピュータ１に対して電源の供給が可能なものであり、比較的大きな外形を有する。ポータブルコンピュータ１は、バッテリパック２１を電源として例えば約１０時間に亘り駆動可能である。
【００１８】
メイン回路基板２２、ＨＤＤユニット２３、およびＯＤＤユニット２４は、互いに鉛直方向に重なることなく筐体４内に配置されている。メイン回路基板２２、ＨＤＤユニット２３、およびＯＤＤユニット２４は、それぞれ筐体カバー８に固定されている。
【００１９】
ＯＤＤユニット２４は、バッテリパック２１よりも薄いものが採用される。図３および図４に示すように、ＯＤＤユニット２４は、筐体４内においてフロント部３１寄りに偏って配置されている。詳しくは、図３に示すように、筐体カバー８の前端部には、該筐体カバー８を筐体ベース９に固定するためのボス３６が立設されている。ＯＤＤユニット２４は、このボス３６が設けられた領域に隣接して実装されている。一方、図４に示すように、ＯＤＤユニット２４とバッテリパック２１との間には、空間が設けられている。
【００２０】
図４に示すように、ＯＤＤユニット２４は、筐体４のフロント部３１に対向する前端部２４ａと、バッテリパック２１に対向する後端部２４ｂとを有する。ＯＤＤユニット２４の後端部２４ｂの周りには、ＯＤＤユニット２４とバッテリパック２１との厚さの違いに基づいて、実装スペースＳが創出されている。本実施形態では図４に示すように、ＯＤＤユニット２４は、前端部２４ａが後端部２４ｂよりも低くなるように傾斜して実装されている。これにより、ＯＤＤユニット２４の後端部２４ｂの下方、およびＯＤＤユニット２４とバッテリパック２１との間に実装スペースＳが創出されている。
【００２１】
ここでＯＤＤユニット２４について詳しく説明する。図８に示すように、ＯＤＤユニット２４は、ケース４１と、このケース４１内に引き出し可能に収容されるとともにディスクトレイ４２とを有する。ケース４１は、開口部４１ａと段差部４１ｂとを有する。開口部４１ａは、ケース４１の中央部を含む比較的大きな領域に形成されている。この開口部４１ａを通じてディスクトレイ４２の一部がＯＤＤユニット２４の外部に露出されている。
【００２２】
段差部４１ｂとは、この段差部４１ｂを外れた他の部分の表面に比べて、外側に出た表面を有する部分のことである。本実施形態では、段差部４１ｂは、補強板部４３によって形成されている。補強板部４３は、板状に形成されるとともに、開口部４１ａの二つの縁部の間に亘って掛け渡されている。この補強板部４３は、例えばディスクトレイ４２の摺動の邪魔にならないように、ケース４１の他の領域に比べてケース４１の外側に逃げるように形成されている。これにより補強板部４３の表面は、ケース４１の他の部分の表面に比べてケース４１の外側に出た段差を有する。
【００２３】
次に、カードスロット２５について説明する。図３に示すように、カードスロット２５は、筐体４の周壁４ｂに隣接して設けられている。周壁４ｂには、カードスロット２５に対向する開口部４４が設けられている（図１参照）。ユーザーは、この開口部４４を通じて筐体４の外部から第１のカード４５をカードスロット２５に挿抜する。カードスロット２５は、本発明でいう追加デバイスの一例である。カードスロット２５は、例えばＰＣカードスロットやＥｘｐｒｅｓｓＣａｒｄ（登録商標）スロットが具体例として挙げられる。
【００２４】
図３および図５に示すように、カードスロット２５は、ＯＤＤユニット２４の前端部２４ａを外れるとともに、ＯＤＤユニット２４の後端部２４ｂと鉛直方向に重ねて配置される。カードスロット２５は、ＯＤＤユニット２４の後端部２４ｂの例えば下方に配置される。すなわちカードスロット２５は、ＯＤＤユニット２４の後端部２４ｂの下方に創出された実装スペースＳに配置される。図５に示すように、ポータブルコンピュータ１を設置面Ｆに置いたとき、ＯＤＤユニット２４の前端部２４ａがカードスロット２５と同じ高さに位置する。なお「同じ高さに位置する」とは、二つの部材が水平方向に沿って互いに一部重なることをいう。
【００２５】
Ｍｉｎｉ−ＰＣＩモジュール２６は、本発明でいう追加デバイスの一例であり、且つ、拡張モジュールの一例である。Ｍｉｎｉ−ＰＣＩモジュール２６の具体例は、例えば３Ｇ（3rd Generation）モジュール、テレビチューナー、ＧＰＳモジュール、およびＷｉｍａｘ（登録商標）モジュールなどが挙げられる。
【００２６】
図３および図６に示すように、Ｍｉｎｉ−ＰＣＩモジュール２６は、ＯＤＤユニット２４の前端部２４ａを外れるとともに、ＯＤＤユニット２４の後端部２４ｂと鉛直方向に重ねて配置される。Ｍｉｎｉ−ＰＣＩモジュール２６は、ＯＤＤユニット２４の後端部２４ｂの例えば下方に配置される。すなわちＭｉｎｉ−ＰＣＩモジュール２６は、ＯＤＤユニット２４の後端部２４ｂの下方に創出された実装スペースＳに配置される。図６に示すように、ポータブルコンピュータ１を設置面Ｆに置いたとき、ＯＤＤユニット２４の前端部２４ａがＭｉｎｉ−ＰＣＩモジュール２６と同じ高さに位置する。
【００２７】
図３に示すように、Ｍｉｎｉ−ＰＣＩモジュール２６は、筐体４のフロント部３１からバック部３３へ向かう方向に対して直交する方向（以下、Ｘ方向）に沿って、カードスロット２５と並んでいる。Ｍｉｎｉ−ＰＣＩモジュール２６は、ユーザーが直接アクセスしない部品の一例である。カードスロット２５よりもＭｉｎｉ−ＰＣＩモジュール２６は、筐体４の内側に設けられている。
【００２８】
図３に示すように、カードスロット２５およびＭｉｎｉ−ＰＣＩモジュール２６は、ＯＤＤユニット２４のケース４１の開口部４１ａおよび段差部４１ｂを外れた領域に配置されている。
【００２９】
図３に示すように、Ｘ方向のカードスロット２５の幅Ｗ１と同方向のＭｉｎｉ−ＰＣＩモジュール２６の幅Ｗ２の合計は、同方向のＯＤＤユニット２４の幅Ｗ３よりも小さい。すなわちＸ方向に関しては、カードスロット２５およびＭｉｎｉ−ＰＣＩモジュール２６は、ＯＤＤユニット２４のエリア内に配置されている。なお「ＯＤＤユニット２４のエリア内」とは、ＯＤＤユニット２４に対して鉛直方向に重なる領域をいう。
【００３０】
以上のような構成を有することで、図５および図６に示すように、筐体４は、バック部３３の厚さをバッテリパック２１の厚さに合わせるとともに、バック部３３からフロント部３１に向かって進むに従い筐体４の厚さが小さくなるように形成されている。キーボード５は、ＯＤＤユニット２４と平行に実装されている。
【００３１】
ここで図５を参照して、各ユニットの寸法の一例について説明する。筐体４の前端部から後端部までの長さｌは約２１５ｍｍ、バッテリパック２１の厚さｔ１は約２０ｍｍ、ＯＤＤユニット２４の厚さｔ２は約７ｍｍ、カードスロット２５の厚さｔ３は約５ｍｍ、キーボード５の厚さｔ４は約５ｍｍ、筐体カバー８の厚さｔ５は約１ｍｍ、そして筐体ベース９の厚さｔ６は約１ｍｍである。
【００３２】
次に、図７ないし図１０を参照してＭｉｎｉ−ＰＣＩモジュール２６の実装方法について詳述する。図７に示すように、ポータブルコンピュータ１は、Ｍｉｎｉ−ＰＣＩモジュール２６が搭載される回路基板２７をメイン回路基板２２とは別に備える。回路基板２７は、例えば互いに一体となった第１の基板部５１と第２の基板部５２とによって形成されている。第１および第２の基板部５１，５２は、それぞれ長方形状に形成されるとともに、長手方向を互いに直交させるようにして張り合わされている。
【００３３】
第１の基板部５１は、Ｍｉｎｉ−ＰＣＩモジュール２６の幅よりも僅かに大きな幅を有するとともに、Ｍｉｎｉ−ＰＣＩモジュール２６の長さよりも大きな長さを有する。第１の基板部５１は、ポータブルコンピュータ１の下方に臨む第１の面５１ａと、第１の面５１ａの反対側である第２の面５１ｂとを有する。Ｍｉｎｉ−ＰＣＩモジュール２６は、第１の基板部５１の第１の面５１ａに搭載されている。図３および図９に示すように、第１の基板部５１は、ＯＤＤユニット２４の後端部２４ｂに対向するとともに、ＯＤＤユニット２４とバッテリパック２１との間に形成される空間に対向する。
【００３４】
図７に示すように、第２の基板部５２は、第１の基板部５１の第２の面５１ｂに対して重ねられている。図９に示すように、第２の基板部５２は、ＯＤＤユニット２４とバッテリパック２１との間の空間内に収まる形状を有する。第２の基板部５２は、ＯＤＤユニット２４とバッテリパック２１との間の空間に収容されるとともに、水平方向に沿ってＯＤＤユニット２４に対向する。
【００３５】
図２および図５に示すように、第２の基板部５２は、第１の基板部５１に対向する第１の面５２ａと、この第１の面５２ａの反対側である第２の面５２ｂとを有する。この第２の面５２ｂには、例えば１つ又は複数のカードソケット２８が搭載される。カードソケット２８は、ＯＤＤユニット２４とバッテリパック２１との間の空間に収容される比較的小型なソケットであり、例えばＳＩＭ(Subscriber Identity Module)ソケットが具体例として挙げられる。カードソケット２８には、第２のカード５５が着脱自在に挿入される。第２のカード５５の一例は、ＳＩＭカードである。
【００３６】
図５に示すように、バッテリパック２１に対向する筐体４の後壁４ｂｂは、カードソケット２８に対向する開口部５６を有する。筐体４からバッテリパック２１を取り外したとき、開口部５６を通じてカードソケット２８の挿入口が筐体４の外部に露出される。ユーザーは、バッテリパック２１を取り外した時のみ、カードソケット２８に第２のカード５５を挿抜することができる。
【００３７】
図９に示すように、筐体カバー８は、ＯＤＤユニット２４を外れた領域、例えばＯＤＤユニット２４とバッテリパック２１との間の領域に複数のボス６１を有する。ボス６１は、筐体４の内壁面から筐体４の内側に立設されるとともに、筐体４内に開口するねじ穴６１ａが形成されている。
【００３８】
一方、図８に示すように、ＯＤＤユニット２４には、ブラケット６３が取り付けられる。ブラケット６３は、本体部６４、第１および第２の支持部６５，６６、および引掛部６７を有する。本体部６４は、互いに直交するように組み合わされた第１の部分６４ａと第２の部分６４ｂとを有し、Ｌ字形に形成されている。
【００３９】
ＯＤＤユニット２４のケース４１は、バッテリパック２１に対向する第１の側面７１ａと、第１の側面７１ａに隣接するとともに筐体４の内側に臨む第２の側面７１ｂとを有する。ブラケット６３の第１の部分６４ａは、ＯＤＤユニット２４の第１の側面７１ａに沿うとともに、第１の側面７１ａに例えばねじ７３により固定される。ブラケット６３の第２の部分６４ｂは、ＯＤＤユニット２４の第２の側面７１ｂに沿うとともに、第２の側面７１ｂに例えばねじ７３により固定される。
【００４０】
第１および第２の支持部６５，６６は、第１の部分６４ａにおいて互いに離間して設けられている。第１および第２の支持部６５，６６は、第１の部分６４ａの下端部からそれぞれバッテリパック２１を向いて張り出した張出部であり、回路基板２７の第２の基板部５２に対向する。
【００４１】
図７および図９に示すように、回路基板２７は、ボス６１に対向する第１の端部２７ａと、ＯＤＤユニット２４に対向する第２の端部２７ｂとを有する。第１の端部２７ａには、ボス６１のねじ穴６１ａに対向するねじ挿通孔７４が設けられている。回路基板２７の固定は、ねじ挿通孔７４を挿通させたねじ７３をボス６１のねじ穴６１ａに係合させることで行われる。すなわち回路基板２７は、ＯＤＤユニット２４に固定されることなく、筐体カバー８に設けられたボス６１に固定される。このとき、第２の基板部５２のねじ固定された端部とは反対側の端部は、ブラケット６３の第１および第２の支持部６５，６６に当接し、第１および第２の支持部６５，６６によって支持される。
【００４２】
引掛部６７は、第２の部分６４ｂの下端部から延びるとともに、ボス６１に固定された回路基板２７の下方（すなわち図１０中では上方）に張り出している。引掛部６７は、ＯＤＤユニット２４とは反対側から回路基板２７の第２の端部２７ｂに対向する。
【００４３】
このような構成のポータブルコンピュータ１によれば、追加デバイスを実装可能であるとともに、薄型化および長時間駆動の実現を図ることができる。すなわち、ポータブルコンピュータ１は、バッテリパック２１を筐体４のバック部３３に配置するとともに、バッテリパック２１に比べて薄いＯＤＤユニット２４を筐体４のフロント部３１寄りに配置し、且つ、カードスロット２５やＭｉｎｉ−ＰＣＩモジュール２６などの追加デバイスをＯＤＤユニット２４の後端部２４ｂに鉛直方向に重ねて配置している。
【００４４】
これにより、筐体４のバック部３３の厚さをバッテリパック２１の厚さに合わせるとともに、バック部３３からフロント部３１に向かって進むに従い筐体４の厚さが小さくなるように筐体４を形成することができる。これにより追加デバイスを搭載可能でるとともに、比較的大型のバッテリパックによる長時間駆動、および筐体４の薄型化を図ったポータブルコンピュータ１を得ることができる。
【００４５】
本実施形態では、拡張モジュールとしてのＭｉｎｉ−ＰＣＩモジュール２６がＯＤＤユニット２４の前端部２４ａを外れるとともに、ＯＤＤユニット２４の後端部２４ｂと鉛直方向に重ねて配置され、且つ、Ｘ方向に沿ってカードスロット２５と並ぶとともに、カードスロット２５よりも筐体４の内側に配置されている。このような構成によると、ユーザーがアクセスするカードスロット２５を筐体４の周壁４ｂに隣接させて設けることができるとともに、カードスロット２５およびＭｉｎｉ−ＰＣＩモジュール２６を搭載しても筐体４が厚くなることを避けることができる。
【００４６】
カードスロット２５がＯＤＤユニット２４の後端部２４ｂの下方に配置され、ＯＤＤユニット２４の前端部２４ａが後端部２４ｂよりも低くなるように傾斜して実装されており、ポータブルコンピュータ１を設置面Ｆに置いたとき、前端部２４ａがカードスロット２５と同じ高さに位置すると、筐体４のフロント部３１の設置面Ｆからの高さを低くすることができる。これにより、ポータブルコンピュータ１を設置面Ｆに置いたとき、筐体４が前傾姿勢となるため、ポータブルコンピュータ１がより薄く見える。
【００４７】
Ｘ方向のカードスロット２５の幅Ｗ１とＭｉｎｉ−ＰＣＩモジュール２６の幅Ｗ２との合計が同方向のＯＤＤユニット２４の幅Ｗ３よりも小さいと、Ｘ方向においてはカードスロット２５とＭｉｎｉ−ＰＣＩモジュール２６とをＯＤＤユニット２４のエリア内に実装することができる。これにより、カードスロット２５およびＭｉｎｉ−ＰＣＩモジュール２６がメイン回路基板２２など他のユニットの実装構造に与える影響を小さくすることができ、薄型化をさらに図ることができる。
【００４８】
回路基板２７は、ＯＤＤユニット２４に固定されることなく、筐体４に設けられたボス６１に固定されると、ＯＤＤユニット２４に固定部を設ける必要がない。これにより、ＯＤＤユニット２４としてさらに薄型のものを採用することができる。これはポータブルコンピュータ１の薄型化に寄与する。
【００４９】
ＯＤＤユニット２４が筐体カバー８に固定され、ボス６１が筐体カバー８に設けられていると、ＯＤＤユニット２４を取り付けた後、筐体４の姿勢を変化させることなく、そのままの姿勢で回路基板２７を取り付けることができる。これによりポータブルコンピュータ１の組立性の向上を図ることができる。さらにメイン回路基板２２に回路基板２７を固定する場合に比べて、回路基板２７の固定がより強固となる。
【００５０】
回路基板２７がボス６１に対向する第１の端部２７ａとＯＤＤユニット２４に対向する第２の端部２７ｂとを有し、ブラケットがＯＤＤユニット２４とは反対側から回路基板２７の第２の端部２７ｂに対向する引掛部６７を有すると、一つの端部のみしか固定されていない回路基板２７が浮き上がることを抑制することができる。
【００５１】
カードソケット２８がＯＤＤユニット２４とバッテリパック２１との間に設けられていると、例えばカードソケット２８がバッテリパック２１に重ねて配置される場合に比べて、筐体４を薄くすることができる。
【００５２】
バッテリパック２１を筐体４から取り外したとき、カードソケット２８が筐体４の外部に露出されると、第２のカード５５の挿抜を行う際には必ずバッテリパック２１を取り外す作業が必要となる。これにより、例えばカードソケット２８がホットスワップである場合に、第２のカード５５に書き込まれたデータの安全性を高めることができる。
【００５３】
カードスロット２５およびＭｉｎｉ−ＰＣＩモジュール２６がＯＤＤユニット２４の開口部４１ａを外れた領域に配置されていると、開口部４１ａからケース４１内にゴミが混入しにくい。カードスロット２５およびＭｉｎｉ−ＰＣＩモジュール２６がＯＤＤユニット２４の段差部４１ｂを外れた領域に配置されていると、筐体４の薄型化をさらに図ることができる。
【００５４】
以上、本発明の一つの実施形態に係るポータブルコンピュータ１について説明したが、本発明はこれに限られるものではない。例えばカードソケット２８は、ＳＩＭソケットに限られず、他の種類のカードに対応したソケットでもよい。
【図面の簡単な説明】
【００５５】
【図１】本発明の一つの実施形態に係るポータブルコンピュータの斜視図。
【図２】図１中に示されたポータブルコンピュータの本体の内部を示す平面図。
【図３】図１中に示されたポータブルコンピュータの本体の内部を示す下面図。
【図４】図３中に示されたポータブルコンピュータにおいてカードスロットおよびＭｉｎｉ−ＰＣＩモジュール等を除いて示すＦ４−Ｆ４線に沿う断面図。
【図５】図３中に示されたポータブルコンピュータのＦ５−Ｆ５線に沿う断面図。
【図６】図３中に示されたポータブルコンピュータのＦ６−Ｆ６線に沿う断面図。
【図７】図３中に示されたＭｉｎｉ−ＰＣＩモジュールおよび回路基板を示す斜視図。
【図８】図３中に示されたＯＤＤユニットおよびブラケットを示す斜視図。
【図９】図３中に示された本体の内部を示す下面図。
【図１０】図８中に示されたＯＤＤユニットおよびブラケットの断面図。
【符号の説明】
【００５６】
Ｆ…設置面、１…ポータブルコンピュータ、４…筐体、４ａ…上壁、４ｃ…下壁、８…筐体カバー、９…筐体ベース、２１…バッテリパック、２４…ＯＤＤユニット、２５…カードスロット、２６…Ｍｉｎｉ−ＰＣＩモジュール、２７…回路基板、２８…カードソケット、３１…フロント部、３３…バック部、４１…ケース、４１ａ…開口部、４２…ディスクトレイ、６１…ボス、６３…ブラケット、６７…引掛部。
【図１】
0004413960.tif 000002
【図２】
0004413960.tif 000003
【図３】
0004413960.tif 000004
【図４】
0004413960.tif 000005
【図５】
0004413960.tif 000006
【図６】
0004413960.tif 000007
【図７】
0004413960.tif 000008
【図８】
0004413960.tif 000009
【図９】
0004413960.tif 000010
【図１０】
0004413960.tif 000011